(57)【特許請求の範囲】
【請求項１】
原稿を読取ることで原稿画像データを生成する読取部と、
前記読取部によって生成された前記原稿画像データ及び非原稿画像データ記憶部に記憶された非原稿画像データのうち少なくとも一方の画像データが記憶される記憶部と、
前記記憶部に記憶される前記画像データが示す画像を被記録媒体に記録する記録部と、
少なくとも前記読取部と、前記記録部と、前記記憶部とを制御する制御部と、を備え、
前記制御部は、１つの被記録媒体に前記原稿画像データと前記非原稿画像データとを記録する場合であり、且つ前記記憶部の残り記憶可能容量が閾値より小さい場合に、前記記録部に、前記記憶部に記憶される前記非原稿画像データの記録を完了させてから、前記読取部に前記原稿の読取を実行させた後、前記記録部に、前記記憶部に記憶される前記原稿画像データの記録を実行させることを特徴とする画像記録装置。
【請求項２】
前記制御部は、
１つの被記録媒体に前記原稿画像データと前記非原稿画像データとを記録する場合であり、且つ前記記憶部の残り記憶可能容量が閾値以上の場合に、前記記録部に前記非原稿画像データの記録を実行させている間に、前記読取部に前記原稿の読取を実行させ、前記記録部による前記非原稿画像データの記録が完了した後に、前記記録部に前記原稿画像データの記録を実行させることを特徴とする請求項１に記載の画像記録装置。
【請求項３】
前記制御部によって制御され、前記記録部によって記録される被記録媒体を搬送する搬送部、を備え、
前記制御部は、前記非原稿画像データの記録を完了させてから、少なくとも前記読取部による原稿の読取が開始されるまで前記搬送部を停止させることを特徴とする請求項１または２に記載の画像記録装置。
【請求項４】
原稿を読取ることで原稿画像データを生成する読取部と、
前記読取部によって生成された前記原稿画像データ及び非原稿画像データ記憶部に記憶された非原稿画像データのうち少なくとも一方が記憶される記憶部と、
前記記憶部に記憶される前記画像データが示す画像を被記録媒体に記録する記録部と、
少なくとも前記読取部と、前記記録部と、前記記憶部とを制御する制御部と、を備え、
前記制御部は、１つの被記録媒体に前記原稿画像データと前記非原稿画像データとを記録する場合であり、且つ前記記憶部の残り記憶可能容量が閾値より小さい場合に、前記読取部に前記原稿の読取を実行させて、前記記録部に、前記記憶部に記憶される前記原稿画像データの記録を完了させてから、前記非原稿画像データ記憶部に記憶される前記非原稿画像データを前記記憶部に記憶した後に、前記記録部に、前記記憶部に記憶される前記非原稿画像データの記録を実行させることを特徴とする画像記録装置。
【請求項５】
前記制御部は、
１つの被記録媒体に前記原稿画像データと前記非原稿画像データとを記録する場合であり、且つ前記記憶部の残り記憶可能容量が閾値以上の場合に、前記読取部に前記原稿の読取を実行させて、前記記録部に前記原稿画像データの記録を実行させている間に、前記記憶部に記憶される前記非原稿画像データを前記記憶部に記憶させ、前記非原稿画像データの前記記憶部への記憶が完了した後に、前記記録部に前記非原稿画像データの記録を実行させることを特徴とする請求項４に記載の画像記録装置。
【請求項６】
前記制御部によって制御され、前記記録部によって記録される被記録媒体を搬送する搬送部、を備え、
前記制御部は、前記原稿画像データの記録を完了させてから、少なくとも前記非原稿画像データの前記記憶部への記憶が完了されるまで前記搬送部を停止させることを特徴とする請求項４または５に記載の画像記録装置。
【請求項７】
前記記憶部の残り記憶可能容量が閾値より小さいか否かを判断する判断手段と、
前記非原稿画像データ記憶部と、を備え、
当該非原稿画像データ記憶部は、前記非原稿画像データを圧縮した状態で記憶し、
前記制御部は、前記判断手段によって、前記記憶部の残り記憶可能容量が閾値より小さい又は閾値以上であると判断された後に、前記非原稿画像データ記憶部に記憶された前記非原稿画像データを展開して前記記憶部に記憶させることを特徴とする請求項１乃至６に記載の画像記録装置。
【請求項８】
前記制御部は、前記読取部によって生成された前記原稿画像データを回転した回転原稿画像データを前記記憶部に記憶し、前記記録部に前記回転原稿画像データを記録させることを特徴とする請求項１乃至７のいずれかに記載の画像記録装置。
【請求項９】
前記非原稿画像データは、罫線又は方眼又は升目を示す画像データであることを特徴とする請求項１乃至８のいずれかに記載の画像記録装置。
【請求項１０】
前記記録部は、前記原稿の大きさの２倍の大きさの１つの被記録媒体に記録することを特徴とする請求項１乃至９のいずれかに記載の画像記録装置。
【請求項１１】
前記記録部は、被記録媒体にインクを吐出する記録ヘッドを備えることを特徴とする請求項１乃至１０のいずれかに記載の画像記録装置。
【請求項１２】
原稿を読取ることによって生成された原稿画像データ及び非原稿画像データのうち少なくとも一方を記憶する記憶部を備える画像記録装置の画像記録方法であって、
１つの被記録媒体に前記原稿画像データと前記非原稿画像データとを記録する場合で、前記記憶部の残り記憶可能容量が閾値より小さい場合に、前記非原稿画像データを被記録媒体に記録する第１ステップと、前記第１ステップ後に前記原稿を読取って前記原稿画像データを生成する第２ステップと、前記第２ステップで生成された前記原稿画像データを被記録媒体に記録する第３ステップと、を備えることを特徴とする画像記録方法。
【請求項１３】
原稿を読取ることによって生成された原稿画像データ及び非原稿画像データのうち少なくとも一方を記憶する記憶部を備える画像記録装置の画像記録方法であって、
１つの被記録媒体に前記原稿画像データと前記非原稿画像データとを記録する場合で、前記記憶部の残り記憶可能容量が閾値より小さい場合に、前記原稿を読取って前記原稿画像データを生成する第１ステップと、前記第１ステップで生成された前記原稿画像データを被記録媒体に記録する第２ステップと、前記第２ステップ後に前記非原稿画像データを記憶部に記憶する第３ステップと、前記第３ステップで記憶された前記非原稿画像データを被記録媒体に記録する第４ステップと、を備えることを特徴とする画像記録方法。
【請求項１４】
原稿を読取ることで原稿画像データを生成する読取部と、
罫線又は升目又は方眼データを示す非原稿画像データを記憶する非原稿画像データ記憶部と、
前記読取部によって生成された前記原稿画像データ及び前記非原稿画像データ記憶部に記憶された前記非原稿画像データのうち少なくとも一方の画像データが記憶される記憶部と、
前記記憶部に記憶される前記画像データが示す画像を被記録媒体に記録する記録部と、
少なくとも前記読取部と、前記記録部と、前記非原稿画像データ記憶部と、前記記憶部とを制御する制御部と、を備え、
前記制御部は、１つの被記録媒体に前記原稿画像データと前記非原稿画像データとを記録する場合に、前記非原稿画像データ記憶部に記憶される前記非原稿画像データを前記記憶部に記憶させてから、前記記録部に、前記記憶部に記憶される前記非原稿画像データの記録を完了させて、前記非原稿画像データの記録が完了後に前記読取部に前記原稿の読取を実行させて、前記記録部に、前記記憶部に記憶される前記原稿画像データの記録を実行させることを特徴とする画像記録装置。
【請求項１５】
原稿を読取ることで原稿画像データを生成する読取部と、
罫線又は升目又は方眼データを示す非原稿画像データを記憶する非原稿画像データ記憶部と、  前記読取部によって生成された前記原稿画像データ及び前記非原稿画像データ記憶部に記憶された前記非原稿画像データのうち少なくとも一方の画像データが記憶される記憶部と、
前記記憶部に記憶される前記画像データが示す画像を被記録媒体に記録する記録部と、
少なくとも前記読取部と、前記記録部と、前記非原稿画像データ記憶部と、前記記憶部とを制御する制御部と、を備え、
前記制御部は、１つの被記録媒体に前記原稿画像データと前記非原稿画像データとを記録する場合に、前記読取部に前記原稿の読取を実行させて、前記記録部に、前記記憶部に記憶される前記原稿画像データの記録を完了させてから、前記非原稿画像データ記憶部に記憶される前記非原稿画像データを前記記憶部に記憶した後に、前記記録部に、前記記憶部に記憶される前記非原稿画像データの記録を実行させることを特徴とする画像記録装置。
以上
【発明の詳細な説明】
【技術分野】
【０００１】
本発明は画像記録装置及び画像記録方法に関する。
【背景技術】
【０００２】
従来より、原稿画像を読取る読取部と、読取部によって読取られた原稿画像を用紙等の被記録媒体に記録する記録部と、を備える画像記録装置が知られている。この種の画像記録装置のうち、１枚の用紙の内一方の半分の領域に罫線の画像を印刷し、他方の半分の領域にスキャナで読取られた原稿画像を印刷するデジタル複写機が特許文献１に記載されている。特許文献１に記載の技術では、罫線の画像と原稿画像とを１枚の用紙に印刷する動作は、以下の手順によって実現される。まずデジタル複写機は原稿画像を読み取る。次に、デジタル複写機は原稿画像と罫線の画像とを合成して印刷用の画像を生成する。そして、デジタル複写機は、生成した印刷用の画像を１枚の用紙に印刷する。
【先行技術文献】
【特許文献】
【０００３】
【特許文献１】特開２００４−９６３２５号公報
【発明の概要】
【発明が解決しようとする課題】
【０００４】
ところで特許文献１に記載の技術では、印刷用の画像を印刷するときは、少なくとも罫線の画像及び原稿画像を記憶部に記憶させる必要がある。しかし、罫線の画像及び原稿画像を記憶するための記憶部の残り容量が、罫線の画像及び原稿画像に対応するデータサイズより小さい場合、記憶部に罫線の画像及び原稿画像を記憶させることができない。つまり、印刷用の画像を印刷することができない。
【０００５】
本発明は、記憶部の残り容量が十分でない場合でも、１つの被記録媒体に原稿画像と非原稿画像とを記録することができる画像記録装置及び画像記録方法を提供とすることを目的としている。
【課題を解決するための手段】
【０００６】
本発明に係る画像記録装置は、原稿を読取ることで原稿画像データを生成する読取部と、前記読取部によって生成された前記原稿画像データ及び非原稿画像データ記憶部に記憶された非原稿画像データのうち少なくとも一方の画像データが記憶される記憶部と、前記記憶部に記憶される前記画像データが示す画像を被記録媒体に記録する記録部と、少なくとも前記読取部と、前記記録部と、前記記憶部とを制御する制御部と、を備え、前記制御部は、１つの被記録媒体に前記原稿画像データと前記非原稿画像データとを記録する場合であり、且つ前記記憶部の残り記憶可能容量が閾値より小さい場合に、前記記録部に、前記記憶部に記憶される前記非原稿画像データの記録を完了させてから、前記読取部に前記原稿の読取を実行させた後、前記記録部に、前記記憶部に記憶される前記原稿画像データの記録を実行させることを特徴とする。
【０００７】
また、本発明に係る画像記録装置は、原稿を読取ることで原稿画像データを生成する読取部と、前記読取部によって生成された前記原稿画像データ及び非原稿画像データ記憶部に記憶された非原稿画像データのうち少なくとも一方が記憶される記憶部と、前記記憶部に記憶される前記画像データが示す画像を被記録媒体に記録する記録部と、少なくとも前記読取部と、前記記録部と、前記記憶部とを制御する制御部と、を備え、前記制御部は、１つの被記録媒体に前記原稿画像データと前記非原稿画像データとを記録する場合であり、且つ前記記憶部の残り記憶可能容量が閾値より小さい場合に、前記読取部に前記原稿の読取を実行させて、前記記録部に、前記記憶部に記憶される前記原稿画像データの記録を完了させてから、前記非原稿画像データ記憶部に記憶される前記非原稿画像データを前記記憶部に記憶した後に、前記記録部に、前記記憶部に記憶される前記非原稿画像データの記録を実行させることを特徴とする。
【０００８】
また、本発明に係る画像記録方法は、原稿を読取ることによって生成された原稿画像データ及び非原稿画像データのうち少なくとも一方を記憶する記憶部を備える画像記録装置の画像記録方法であって、１つの被記録媒体に前記原稿画像データと前記非原稿画像データとを記録する場合で、前記記憶部の残り記憶可能容量が閾値より小さい場合に、前記非原稿画像データを被記録媒体に記録する第１ステップと、前記第１ステップ後に前記原稿を読取って前記原稿画像データを生成する第２ステップと、前記第２ステップで生成された前記原稿画像データを被記録媒体に記録する第３ステップと、を備えることを特徴とする。
【０００９】
また、本発明に係る画像記録方法は、原稿を読取ることによって生成された原稿画像データ及び非原稿画像データのうち少なくとも一方を記憶する記憶部を備える画像記録装置の画像記録方法であって、１つの被記録媒体に前記原稿画像データと前記非原稿画像データとを記録する場合で、前記記憶部の残り記憶可能容量が閾値より小さい場合に、前記原稿を読取って前記原稿画像データを生成する第１ステップと、前記第１ステップで生成された前記原稿画像データを被記録媒体に記録する第２ステップと、前記第２ステップ後に前記非原稿画像データを記憶部に記憶する第３ステップと、前記第３ステップで記憶された前記非原稿画像データを被記録媒体に記録する第４ステップと、を備えることを特徴とする。
【００１０】
また、本発明に係る画像記録装置は、原稿を読取ることで原稿画像データを生成する読取部と、罫線又は升目又は方眼データを示す非原稿画像データを記憶する非原稿画像データ記憶部と、前記読取部によって生成された前記原稿画像データ及び前記非原稿画像データ記憶部に記憶された前記非原稿画像データのうち少なくとも一方の画像データが記憶される記憶部と、前記記憶部に記憶される前記画像データが示す画像を被記録媒体に記録する記録部と、少なくとも前記読取部と、前記記録部と、前記非原稿画像データ記憶部と、前記記憶部とを制御する制御部と、を備え、前記制御部は、１つの被記録媒体に前記原稿画像データと前記非原稿画像データとを記録する場合に、前記非原稿画像データ記憶に記憶される前記非原稿画像データを前記記憶部に記憶させてから、前記記録部に、前記記憶部に記憶される前記非原稿画像データの記録を完了させて、前記非原稿画像データの記録が完了後に前記読取部に前記原稿の読取を実行させて、前記記録部に、前記記憶部に記憶される前記原稿画像データの記録を実行させることを特徴とする。
【００１１】
また、本発明に係る画像記録装置は、原稿を読取ることで原稿画像データを生成する読取部と、罫線又は升目又は方眼データを示す非原稿画像データを記憶する非原稿画像データ記憶部と、前記読取部によって生成された前記原稿画像データ及び前記非原稿画像データ記憶部に記憶された前記非原稿画像データのうち少なくとも一方の画像データが記憶される記憶部と、前記記憶部に記憶される前記画像データが示す画像を被記録媒体に記録する記録部と、少なくとも前記読取部と、前記記録部と、前記非原稿画像データ記憶部と、前記記憶部とを制御する制御部と、を備え、前記制御部は、１つの被記録媒体に前記原稿画像データと前記非原稿画像データとを記録する場合に、前記読取部に前記原稿の読取を実行させて、前記記録部に、前記記憶部に記憶される前記原稿画像データの記録を完了させてから、前記非原稿画像データ記憶部に記憶される前記非原稿画像データを前記記憶部に記憶した後に、前記記録部に、前記記憶部に記憶される前記非原稿画像データの記録を実行させることを特徴とする。
【発明の効果】
【００１２】
本発明に係る画像記録装置及び画像記録方法によれば、記憶部の残り容量が十分でない場合でも、１つの被記録媒体に原稿画像と非原稿画像とを記録することができるといった効果を奏する。
【図面の簡単な説明】
【００１３】
【図１】本発明の第１実施形態に係る複合機１０の外観斜視図である。
【図２】プリンタ部１７の内部を模式的に表した図である。
【図３】スキャナ部１２の内部を模式的に表した図である。
【図４】複合機１０の電気的構成を表したブロック図である。
【図５】第１実施形態において原稿データの回転が必要な原稿記録処理を表したフローチャートである。
【図６】第１実施形態において原稿データの回転が不要な原稿記録処理を表したフローチャートである。
【図７】第１実施形態において、原稿の読取から、用紙に対して原稿回転データ又は原稿データを記録するまでの流れを模式的に表した図である。
【図８】第２実施形態において原稿データの回転が必要な原稿記録処理を表したフローチャートである。
【発明を実施するための形態】
【００１４】
＜第１実施形態＞
以下、本発明の第１実施形態に係る複合機１０について説明する。なお、実施形態は本発明の一例にすぎず、本発明の要旨を変更しない範囲で、本発明の実施形態を適宜変更できることは言うまでもない。複合機１０は、図１に示す状態に設置されて使用される。本実施形態において、図１に矢印を付して示す３つの方向が、上下方向７、前後方向８、及び左右方向９である。図１に示す３つの方向は、他の図面においても同様である。本実施形態において、「向き」とは、一方の点から他方の離れた点に向く状態を意味し、「方向」とは、２つの離れた点の間で向く状態であり、一方の点から他方の離れた点に向く状態と、他方の離れた点から一方の点に向く状態とを含む意味である。
【００１５】
＜複合機１０の概要＞
図１を用いて、複合機１０の外観について説明する。図１に示されるように、本発明の画像記録装置の一例である複合機１０は、概ね直方体に形成されている。複合機１０は、プリンタ筐体１１と、このプリンタ筐体１１の上方に配置されるスキャナ部１２とを備える。このスキャナ部１２の上方に、後述されるＡＤＦ部６０である原稿カバー１３が設けられる。
【００１６】
プリンタ筐体１１の下部には、用紙５が載置される上トレイ１４及び下トレイ１５が前方に引き出し可能に収容される。用紙５に画像を記録する図２のプリンタ部１７がプリンタ筐体１１の上部に収容されている。上トレイ１４の上側には排紙トレイ１６が配置されている。上トレイ１４及び下トレイ１５には、例えば最大でＡ３サイズの用紙がセット可能である。また、Ａ３サイズ以下の用紙は、長辺を前後方向８に沿わせて上トレイ１４及び下トレイ１５に載置される。
【００１７】
スキャナ部１２やプリンタ部１７の制御は後述の制御部９０（図４参照）により行われる。制御部９０は、例えば、基板に実装されたマイコンなどの種々の電子部品により実現される。制御部９０は、図１に示された複数個の操作キー１８やパソコンなどの外部機器から入力した信号により画像の取り込みや画像の記録を制御する。また、制御部９０は、画像の記録を制御する際に必要な情報をＬＣＤ１９に表示させる。
【００１８】
＜プリンタ部１７の内部構造＞
次に図２を用いて、プリンタ部１７の内部構造について説明する。図２に示されるように、プリンタ筐体１１は、給送部２０と、搬送部３０と、記録部４０と、搬送路５０を構成する部材と、を備えている。給送部２０は、上トレイ１４または下トレイ１５に載置される用紙５を搬送路５０へ給送する。搬送部３０は、給送部２０によって給送された用紙５を記録部４０に搬送する。記録部４０は、例えば、インクジェット記録方式の構成を有し、搬送部３０によって搬送された用紙５に画像を記録する。また、搬送部３０は、記録部４０によって記録された用紙５を排紙トレイ１６に排紙する。
【００１９】
＜給送部２０＞
図２に示されるように、給送部２０が上トレイ１４の上側に設けられている。給送部２０は、給紙ローラ２１、２６と、給紙アーム２２、２７と、ギア列２３、２８と、支軸２４、２９とを備えている。給紙ローラ２１、２６は、給紙アーム２２、２７の一端部に設けられている。給紙アーム２２、２７の中には、ギア列２３、２８が設けられており、給紙ローラ２１、２６は当該ギア列２３、２８によって駆動される。また、給紙アーム２２、２７は、その他端部にて支軸２４、２９によって回動可能に支持される。給紙ローラ２１、２６は、給紙アーム２２、２７が支軸２４、２９を中心に回動することにより、上トレイ１４及び下トレイ１５に対して上下動する。また、支軸２４、２９は、ＡＳＦモータ１０２（図４参照）から駆動力を受けて駆動される。図示しないギアが、支軸２４、２９にそれぞれ配置されている。そして、支軸２４、２９のギアとギア列２３、２８とが噛合う。
【００２０】
つまり、給紙ローラ２１、２６は、ＡＳＦモータ１０２からの駆動力を支軸２４、２９のギアとギア列２３、２８とを介して受けることにより、駆動される。なお、給紙ローラ２１、２６の一方は、上トレイ１４又は下トレイ１５に載置される用紙５と当接した状態で駆動される。これにより、上トレイ１４又は下トレイ１５に載置される用紙５が、搬送路５０に給送される。なお、上トレイ１４及び下トレイ１５は、最大でＡ３サイズの用紙５を載置可能である。
【００２１】
＜搬送部３０＞
図２に示されるように、プリンタ部１７の上方には、搬送部３０（本発明の搬送部の一例である）が設けられている。搬送部３０は、給送部２０によって給送される用紙５を記録部４０へ、または排紙トレイ１６へと搬送する。搬送部３０は、搬送ローラ対３１と、排紙ローラ対３４と、ロータリーエンコーダ３７とを備える。
【００２２】
搬送ローラ対３１は、搬送ローラ３２と従動コロ３３とを備え、給送部２０によって給送される用紙５を記録部４０へと搬送する。搬送ローラ３２は、ＰＦモータ１０３（図４参照）からの駆動力が伝達されて駆動される。従動コロ３３は、搬送ローラ３２に向けて上方へと付勢されるとともに、搬送ローラ３２の回転に従動するように回転自在に配置される。
【００２３】
排紙ローラ対３４は、排紙ローラ３５と拍車３６とを備え、搬送ローラ対３１によって記録部４０を通過した用紙５を排紙トレイ１６に向けて搬送する。排紙ローラ３５は、搬送ローラ３２の駆動力を図示しない無端状のベルトを介して受けて駆動される。拍車３６は、排紙ローラ３５に向けて下方へと付勢されるとともに、排紙ローラ３５の回転に従動するように回転自在に配置される。
【００２４】
ロータリーエンコーダ３７は、搬送ローラ３２の回転に信号を発生し、その信号をＡＳＩＣ９５（図４参照）に送る。ロータリーエンコーダ３７は、エンコーダ回転体３８と、光学センサ３９と、を備える。エンコーダ回転体３８は、円盤状に形成されており、複数の放射状のスリットがエンコーダ回転体３８に形成されている。つまり、エンコーダ回転体３８は、スリットの形成部分である透光部と、遮光部とを備える。光学センサ３９は、発光部と受光部とを備えたフォトインタラプタであり、受光部と発光部との間にエンコーダ回転体３８が位置するように配置される。受光部は、発光部からの光を受光するとＨレベルを示す信号を出力し、また、光を受光しない場合は、Ｌレベルを示す信号を出力する。
【００２５】
つまり、搬送ローラ３２が回転することに伴い、エンコーダ回転体３８が回転すると、発光部によって発せられた光は、透光部と遮光部とに交互に向けられる。すると、受光部は、透光部によって透過された光のみを受光する。また、遮光部によって遮光されると、受光部は受光しない。これにより、受光部は、Ｈレベルを示す信号とＬレベルを示す信号とを交互に出力する。そして、ＡＳＩＣ９５はＨレベルからＬレベルへの変化、またはＬレベルからＨレベルへの変化を表すエッジの数を計測することにより、搬送ローラ３２の回転数を検知する。
【００２６】
＜記録部４０＞
図２に示されるように、記録部４０（本発明の記録部の一例である）は、搬送部３０によって搬送される用紙５に画像を記録する。記録部４０は、搬送ローラ対３１と排紙ローラ対３４との間に配置される。記録部４０は、キャリッジ４１と、記録ヘッド４２と、プラテン４３と、を備える。キャリッジ４１は、図２の紙面垂直方向（左右方向９）に往復移動可能である。記録ヘッド４２は、キャリッジ４１によって担持される。また、記録ヘッド４２には、図示しないインクカートリッジからインクが供給される。記録ヘッド４２は、供給されたインクを吐出する。プラテン４３は、記録ヘッド４２の下面と対向する位置に、当該下面と間隔を空けて配置される。プラテン４３は、記録ヘッド４２の下方に搬送される用紙５を支持する。
【００２７】
記録部４０による画像の記録は、以下の方法によって実現される。まず、搬送ローラ対３１は用紙５をプラテン４３に支持される位置まで搬送した後に、用紙５を停止させる。そして、プラテン４３上で停止した用紙５に対してキャリッジ４１が左右方向９に移動しつつ、記録ヘッド４２が用紙５に向けてインクを吐出する。その後、キャリッジ４１の移動が完了したら、再び搬送ローラ対３１又は排紙ローラ対３４によって用紙５を所定量搬送した後に、用紙５を停止させる。そして、停止した用紙５に対してキャリッジ４１が左右方向９に移動しつつ、記録ヘッド４２が用紙５に向けてインクを吐出する。これらを繰り返すことで、用紙５に画像が記録される。そして、１枚の用紙５に対する画像の記録が完了すると、排紙ローラ対３４が、排紙トレイ１６に向けて画像が記録された用紙５を搬送する。
【００２８】
＜搬送路５０＞
図２に示されるように、搬送路５０（図２の一点鎖線参照）が、上トレイ１４の上部から前方に向かって湾曲するように形成されている。搬送路５０の一部は、第１外側ガイド部５１と、第１内側ガイド部５２と、第２外側ガイド部５３と、第２内側ガイド部５４とによって形成される。
【００２９】
第１外側ガイド部５１は、下トレイ１５の上方から、搬送ローラ対３１までの間に設けられている。第１内側ガイド部材５２は、上トレイ１４の上方から搬送ローラ対３１までの間に設けられている。また、第１外側ガイド部５１と、第１内側ガイド部５２とは、互いに間隔を空けて対向するように設けられており、両ガイド部５１、５２の一部が湾曲している。用紙５は、給送部２０によって給送される場合に、第１外側ガイド部５１と、第１内側ガイド部５２との間の空間である搬送路５０を通過する。
【００３０】
第２外側ガイド部５３及び第２内側ガイド部５４は、記録部４０よりも排紙ローラ対３４側に設けられている。また、第２外側ガイド部５３及び第２内側ガイド部５４は互いに間隔を空けて対向するようにして設けられる。用紙５は、排紙ローラ対３４によって搬送される場合に、第２外側ガイド部５３と、第２内側ガイド部５４との間の空間である搬送路５０を通過する。
【００３１】
＜スキャナ部１２の内部構造＞
次に、図３を用いてスキャナ部１２（本発明の読取部の一例である）の内部構造について説明する。図３に示されるようにスキャナ部１２は、ＡＤＦ（Ａｕｔｏ  Ｄｏｃｕｍｅｎｔ  Ｆｅｅｄｅｒ）部６０と、ＦＢ（Ｆｌａｔ  Ｂｅｄ）部７０と、を備えている。ＡＤＦ部６０は、ＦＢ部７０の上方に配置されており、ＦＢ部７０に載置された原稿を上方より抑える原稿カバー１３としての機能も有する。
【００３２】
＜ＡＤＦ部６０＞
ＡＤＦ部６０は、ＡＤＦ給紙トレイ６１と、ＡＤＦ搬送部６２と、ＡＤＦ排紙トレイ６８とを備えている。ＡＤＦ搬送部６２は、原稿の搬送方向の上流側から、第１搬送ローラ対６３と、第２搬送ローラ対６４と、第３搬送ローラ対６５と、を備える。
【００３３】
第１搬送ローラ対６３は、ＡＤＦ給紙トレイ６１に複数枚の原稿が載置される場合に、複数枚の原稿から最上位の原稿を分離するとともに、最上位の原稿を送り経路６６に向けて搬送する。具体的には、第１搬送ローラ対６３は、図３において上側に配置され、ＡＤＦモータ６９によって駆動される送りローラ６３Ａと、図３において下側に配置され、送りローラ６３Ａの回転とは反対の向きに駆動されるリタードローラ６３Ｂとを備える。例えば、ＡＤＦモータ６９が正方向に回転すると、送りローラ６３Ａが原稿を送り経路６６に送るように一方向に回転する。一方で、リタードローラ６３Ｂは、ＡＤＦモータ６９が正方向に回転すると、一方向に回転する。これにより、最上位に位置する原稿のみが送りローラ６３Ａによって搬送され、最上位よりも下方の原稿がリタードローラ６３ＢによってＡＤＦ給紙トレイ６１に戻される。なお、送り経路６６は、インナーガイド６６Ａと、アウターガイド６６Ｂとによって形成される。
【００３４】
第２搬送ローラ対６４及び第３搬送ローラ対６５は、第１搬送ローラ対６３によって送り経路６６を通過する原稿をＡＤＦ排紙トレイ６８に向けて搬送する。また、第２搬送ローラ対６４及び第３搬送ローラ対６５の各ローラ対の一方のローラは、ＡＤＦモータ６９によって駆動される駆動ローラであり、他方のローラが当該駆動ローラの回転に従動する従動コロである。例えば、図３において、第２搬送ローラ対６４及び第３搬送ローラ対６５の各ローラ対のうち上側のローラが駆動ローラであり、下側のローラが従動コロである。
【００３５】
そして、読取孔６７に原稿が侵入すると、後述するＣＩＳセンサ７３によって、原稿に対して光が発光される。また、ＣＩＳセンサ７３は、原稿から反射される反射光を受光する。なお、読取孔６７は第２搬送ローラ対６４と第３搬送ローラ対６５との間であって、アウターガイド６６Ｂと、ＡＤＦ排紙トレイ６８との間に形成される。
【００３６】
＜ＦＢ部７０＞
ＦＢ部７０は、プラテンガラス７１と読取部７２とを備えている。プラテンガラス７１には、原稿が載置される。本実施形態においては、プラテンガラス７１に載置される最大サイズの原稿はＡ４サイズである。ここで、ＡＤＦ部６０とＦＢ部７０とは、図３の紙面垂直方向の奥側（前後方向８の後側）において、図示しないヒンジを介して接続される。つまり、ＡＤＦ部６０はＦＢ部７０に対して、ヒンジ部を回動中心として上下方向７に回動する。ユーザは原稿をプラテンガラス７１に載置する際は、ＡＤＦ部６０を上方に回動させた後、原稿をプラテンガラス７１に載置してから、ＡＤＦ部６０を下方に回動させる。したがって、ＡＤＦ部６０は原稿カバー１３としての機能も有している。
【００３７】
読取部７２は、ＣＩＳセンサ７３と、駆動プーリ７４と、従動プーリ７５と、無端環状のベルト７６と、を備える。駆動プーリ７４は、ＦＢモータ７９によって駆動される。ベルト７６は、駆動プーリ７４と従動プーリ７５との間に架設される。従動プーリ７５は、駆動プーリ７４が駆動されると、ベルト７６を介して、駆動プーリ７４の駆動に従動する。また、ベルト７６には、ＣＩＳセンサ７３が取り付けられている。したがって、例えば、ＦＢモータ７９が一方向に駆動すると、ベルト７６によってＣＩＳセンサ７３が、右方向に移動し、ＦＢモータ７９が他方向に駆動すると、ベルト７６によってＣＩＳセンサ７３が左方向に移動する。
【００３８】
なお、ＣＩＳセンサ７３は、光を発光する発光部と、発光された光が原稿等によって反射された反射光を受光する受光部と、を備える。また、ＣＩＳセンサ７３は、受光部によって受光された反射光の強度を示す信号を信号処理部１０１（図４参照）に出力する。
【００３９】
また、ＦＢ部７０によって読取可能な原稿の最大のサイズと、ＡＤＦ部６０によって読取可能な原稿の最大のサイズとは一致している。
【００４０】
＜ＡＤＦ部６０を用いた読取＞
次にＡＤＦ部６０を用いた原稿の読取について説明する。まず、ユーザが操作キー１８を操作することによって、制御部９０からＡＤＦ部６０による原稿の読取が指示されると、制御部９０はＡＤＦ給紙トレイ６１上に載置される原稿をＡＤＦ搬送部６２によって搬送させる。そして制御部９０は、読取孔６７に原稿の先端が到達すると、ＣＩＳセンサ７３に原稿への光の発光を開始させる。なお、原稿が読取孔６７に到達する前にＣＩＳセンサ７３は、当該読取孔６７に対向する位置まで移動される。さらに制御部９０は、ＡＤＦ搬送部６２に原稿の搬送を継続させるとともに、ＣＩＳセンサ７３に発光及び受光を継続させる。そして制御部９０は、原稿の後端が読取孔６７から抜けると、ＣＩＳセンサ７３に発光及び受光を停止させる。以上の動作によって、ＡＤＦ部６０を用いた原稿１頁分の読取が完了する。
【００４１】
＜ＦＢ部７０を用いた読取＞
次にＦＢ部７０を用いた読取について説明する。ユーザが原稿をプラテンガラス７１上にセットした状態で、ユーザが操作キー１８を操作することによって、制御部９０からＦＢ部７０による原稿の読取が指示されると、制御部９０はＣＩＳセンサ７３を左端部に移動させる。そして、制御部９０は、ＣＩＳセンサ７３を右に移動させながら、原稿一端からＣＩＳセンサ７３に発光及び受光を継続させる。そして、原稿の他端までＣＩＳセンサ７３が到達したら、制御部９０は、ＣＩＳセンサ７３に発光及び受光を停止させる。以上の動作によって、ＦＢ部７０を用いた原稿１頁分の読取が完了する。
【００４２】
＜電気的構成＞
次に、図４を参照して、本発明の実施形態に係る複合機１０の制御部９０（本発明の制御部に相当する）について説明する。なお、制御部９０が図５に示されるフローチャートに従って、原稿記録処理を行うことで本発明の各機能が実現される。制御部９０は、ＣＰＵ９１、ＲＯＭ９２、ＲＡＭ９３、ＥＥＰＲＯＭ９４、及びＡＳＩＣ９５と、を主要な構成要素とするマイクロコンピュータとして構成されている。さらに、制御部９０には、ＡＳＩＣ９５を介して、ロータリーエンコーダ３７、操作キー１８、ＬＣＤ１９、スキャナ部１２、及びプリンタ部１７が接続されている。
【００４３】
ＲＯＭ９２（本発明の非原稿データ記憶部に相当する）には、ＣＰＵ９１が後述する原稿記録処理を含む各種動作を制御するためのプログラムなどが格納されている。また、ＲＯＭ９２には、罫線データメモリ９２Ａ、升目データメモリ９２Ｂ、及びメモリ使用量テーブル９２Ｃがそれぞれ格納されている。罫線データメモリ９２Ａ及び升目データメモリ９２Ｂには、罫線データ及び升目データ（本発明の非原稿画像の一例である）がそれぞれ記憶される。罫線データ及び升目データは、用紙に記録される罫線及び升目をそれぞれ示すデータである。本実施形態において、罫線データ及び升目データは、Ａ４サイズの用紙相当に記録される罫線又は升目をそれぞれ示すデータである。罫線データ及び升目データは、ＪＰＥＧなどの保存形式で圧縮された形式で、罫線データメモリ９２Ａ及び升目データメモリ９２Ｂにそれぞれ記憶されている。なお、罫線データメモリ９２Ａ及び升目データメモリ９２Ｂに記憶される罫線データ及び升目データのいずれかのデータを記録する際は、ＣＰＵ９１が、圧縮されたデータを展開（解凍）してから、解凍されたデータをプリンタ部１７に転送する。
【００４４】
メモリ使用量テーブル９２Ｃには、ＣＰＵ９１が原稿記録処理を実行する際にＲＡＭ９３に最低限確保すべき記憶容量を示す閾値が以下の表１に示されるテーブルとして記憶されている。
【００４５】
【表１】
0005927976.tif 000002
【００４６】
なお、原稿を読取る際のＲＡＭ９３に最低限確保すべき記憶容量は、閾値Ｘ１、Ｘ２（本発明の閾値に相当する）である。閾値Ｘ１は原稿データを回転させる必要が有る場合の閾値（Ｂｙｔｅ）である。閾値Ｘ１は、最大の解像度で生成された場合の原稿データ２ページ分のデータ量を示す値と、罫線データ又は升目データのデータ量を示す値とを加算した値に相当する。原稿データ２ページ分のデータ量を確保する理由は、原稿データ１ページ分のデータ量に加えて、原稿データを回転させた原稿回転データ１ページ分のデータ量がＲＡＭ９３に確保される必要があるためである。一方で、閾値Ｘ２は原稿データを回転させる必要が無い場合の閾値である。そして、閾値Ｘ２は、最大の解像度で生成された場合の原稿データ１ページ分のデータ量を示す値と、罫線データ又は升目データのデータ量を示す値とを加算した値に相当する。
【００４７】
ＲＡＭ９３（本発明の記憶部の一例である）は、ＣＰＵ９１がＲＯＭ９２に記憶されたプログラムを実行する際に用いるデータ及び信号等を一時的に記録する記憶領域として使用される。ＲＡＭ９３の残り容量は、ＣＰＵ９１によって監視されている。また、ＲＡＭ９３は、解凍メモリ９３Ａ、原稿画像メモリ９３Ｂ、及び原稿回転メモリ９３Ｃを備えている。
【００４８】
解凍メモリ９３Ａは、ＲＯＭ９２に圧縮された状態で記憶される罫線データ又は升目データを記録するときに、使用されるメモリである。つまり、ＣＰＵ９１は、圧縮された各データを解凍し、さらにＣＰＵ９１は、解凍された各データを解凍メモリ９３Ａに記憶する。なお、解凍メモリ９３Ａに記憶される罫線データ又は升目データは、各データの記録が完了すると、ＣＰＵ９１によって解凍メモリ９３Ａから消去される。
【００４９】
原稿画像メモリ９３Ｂには、スキャナ部１２によって読取られた原稿データが逐次記憶される。例えば、ＡＤＦ部６０を用いた読取の場合は、ＡＤＦ搬送部６２によって原稿が所定量搬送されたり、ＦＢ部７０を用いた読取の場合は、ＣＩＳセンサ７３が所定量移動されたりする度に、原稿データの一部が原稿画像メモリ９３Ｂに逐次記憶される。
【００５０】
原稿回転メモリ９３Ｃには、原稿画像メモリ９３Ｂに記憶される原稿データを例えば９０度または２７０度回転させた原稿回転データが記憶される。そして、プリンタ部１７は、解凍メモリ９３Ａにおいて解凍した状態で記憶される罫線データ又は升目データ、原稿画像メモリ９３Ｂに記憶される原稿データ、又は原稿回転メモリ９３Ｃに記憶される原稿回転データを用いて、各種データを記録する。なお、原稿データは、当該原稿データが全て回転された原稿回転データが原稿回転メモリ９３Ｃに記憶されると、ＣＰＵ９１によって、原稿回転メモリ９３Ｂから消去される。
【００５１】
ＥＥＰＲＯＭ９４（本発明の非原稿データ記憶部の一例である）には、電源オフ後も保持すべき設定やフラグ等が格納される。なお、罫線データや升目データは、ＥＥＰＲＯＭ９４に記憶されていても良い。
【００５２】
ロータリーエンコーダ３７は、ＡＳＩＣ９５を介して制御部９０に接続されている。ロータリーエンコーダ３７は、Ｈレベル及びＬレベルからなるパルス信号をＡＳＩＣ９５に出力する。制御部９０またはＡＳＩＣ９５が、パルス信号のＬレベルからＨレベルへの変化を表すエッジの数をカウントすることによって、搬送ローラ３２の回転数を検知する。そして、制御部９０またはＡＳＩＣ９５は、検知された搬送ローラ３２の回転数に基づいて、ＰＦモータ１０３に対するＰＷＭ値を決定するとともに、決定されたＰＷＭ値を用いてＰＦモータ１０３を駆動する。つまり、ロータリーエンコーダ３７と、制御部９０またはＡＳＩＣ９５とによって、搬送部３０の回転が制御される。
【００５３】
操作キー１８は、ＡＳＩＣ９５を介して制御部９０に接続されている。操作キー１８がユーザによって押下されると、操作キー１８から発せられる信号がＡＳＩＣ９５を介して制御部９０に入力される。この信号によって、制御部９０は、複合機１０の各種動作を実行する。
【００５４】
ＬＣＤ１９は、ＡＳＩＣ９５を介して制御部９０に接続されており、複合機１０の状態等を表示する。
【００５５】
スキャナ部１２は、ＡＳＩＣ９５を介して制御部９０に接続されている。スキャナ部１２は、ＡＤＦモータ６９、ＦＢモータ７９、ＣＩＳセンサ７３、及び信号処理部１０１を備えている。ＡＤＦモータ６９は、原稿を搬送するためにＡＤＦ搬送部６２の駆動ローラを回転させ、ＦＢモータ７９は、ＣＩＳセンサ７３を移動させるために駆動プーリ７４を回転させてベルト７６を周運動させる。なお、ＡＤＦモータ６９及びＦＢモータ７９の駆動は、ＡＳＩＣ９５を介して制御部９０によって制御される。ＣＩＳセンサ７３は、受光部によって受光された反射光の強度を示す信号を信号処理部１０１に出力する。そして、信号処理部１０１は、ＣＩＳセンサ７３から出力された反射光の強度を示す信号からなるデータを記録用のデータに変換し、原稿データ（本発明の原稿画像データの一例である）を生成する。そして、スキャナ部１２は、ＡＳＩＣ９５を介して信号処理部１０１によって生成された原稿データを原稿画像メモリ９３Ｂに記憶させる。
【００５６】
プリンタ部１７は、ＡＳＩＣ９５を介して制御部９０に接続されている。プリンタ部１７は、ＡＳＦモータ１０２、ＰＦモータ１０３、ＣＲモータ１０４、及び記録ヘッド４２を備えている。ＡＳＦモータ１０２は、制御部９０又はＡＳＩＣ９５からの指示によって、給紙ローラ２１、２６を駆動する。ＰＦモータ１０３は、制御部９０又はＡＳＩＣ９５からの指示によって、搬送ローラ３２を駆動する。ＣＲモータ１０４は、制御部９０又はＡＳＩＣ９５からの指示によって、キャリッジ４１を左右方向９に往復移動させるために駆動される。記録ヘッド４２は、制御部９０又はＡＳＩＣ９５からの指示によって、記録ヘッド４２からインク滴を吐出するように、圧電素子を駆動する。
【００５７】
なお、ＡＳＩＣ９５は、回転部９６を有している。この回転部９６によって、原稿画像メモリ９３Ｂに記憶される原稿データが回転される。そして、回転部９６は、当該回転部９６によって回転された原稿回転データを原稿回転メモリ９３Ｃに記憶させる。つまり、原稿を記録するときに回転が必要な場合では、ＲＡＭ９３においては、原稿データと、原稿回転データと、の記憶容量が必要となる。なお、この回転部９６による原稿データの回転は、ＣＰＵ９１によって実現されてもよい。
【００５８】
＜原稿記録処理＞
次に図５及び図６を用いて、制御部９０によって実現される原稿記録処理について説明する。図５及び図６は、制御部９０によって実現される原稿記録処理を示すフローチャートである。以下では原稿の読取をＦＢ部７０を用いて実行する場合について説明するが、ＡＤＦ部６０を用いた場合でも同様な原稿記録処理が実行されることは言うまでもない。
【００５９】
＜原稿データの回転が必要な場合＞
以下に、Ａ３サイズの用紙５の長辺方向における前半部に罫線又は升目のデータを、後半部にＡ４サイズの原稿の原稿回転データを記録する（以下、原稿記録と称する）場合について説明する。ここでまず、本実施形態の複合機１０において、Ａ３サイズの用紙５に原稿記録をする際に、原稿回転データを記録する理由を説明する。
【００６０】
まず、上記の場合に原稿データの回転が必要な理由を図７を用いて説明する。図７は、原稿の読取から、用紙５に原稿回転データを記録するまでの流れを模式的に表した図である。図７（Ａ）は、ＦＢ部７０を上方から見た平面図である。図７（Ｂ）及び（Ｃ）は、原稿画像メモリ９３Ｂ及び原稿回転メモリ９３Ｃに記憶される原稿データ及び原稿回転データを模式的に表した図である。図７（Ｚ）は、用紙５がＡ３サイズである場合における原稿記録が完了した用紙５の様子を模式的に表した図である。
【００６１】
まず、本実施形態においてはプラテンガラス７１は、最大でＡ４サイズの原稿が載置できるため、図７（Ａ）のようにＡ４サイズの原稿が横向きに載置される。この場合、ＣＩＳセンサ７３の移動方向がＡ４サイズの原稿の長辺方向に沿う。すると、Ａ４サイズの原稿の読取を開始した場合、Ａ４サイズの原稿の長辺方向の左端から右端へと読取られるので、原稿画像メモリ９３Ｂには、図７（Ｂ）に示すように縦向きの原稿データ、即ち、原稿の短辺の左端の読取データから順番に配列される原稿データが記憶される。なお、横向きとは、左右方向９に原稿の長辺方向が沿う向きであり、縦向きとは、前後方向８に原稿の長辺方向が沿う向きである。ちなみに、原稿データや後述の原稿回転データを縦向き、又は横向きと称するのは、説明の便宜上のためであり、実際に原稿画像メモリ９３Ｂや原稿回転メモリ９３Ｃに、前後方向８であったり、左右方向９に沿うように記憶されているものではない。
【００６２】
そして、図７（Ｂ）のように縦向きの原稿データをＡ３サイズの用紙５に記録しようとすると、Ａ３サイズの用紙５の前後方向８（長辺方向）の一方の半分に原稿データを、他方の半分に罫線データを適切な配置で記録することができない。つまり、適切な配置で記録するためには、原稿データを９０度回転させる必要がある。よって、Ａ４サイズの原稿が読取られた場合には、図７（Ｃ）のように、原稿データを回転させるのである。これにより、図７（Ｚ）のようにＡ３サイズの用紙５の前後方向８（長辺方向）の一方の半分に原稿データを、他方の半分に罫線データを適切な配置で記録することができる。
【００６３】
以下に、制御部９０が、実行する原稿記録処理を図５に示されるフローチャートを用いて説明する。
【００６４】
ユーザが、Ａ４サイズの原稿をＡ３サイズの用紙５に記録する原稿記録を操作キー１８を介して制御部９０に指示すると、図５のフローチャートに示される原稿記録処理が実行される。まず、制御部９０は、ＬＣＤ１９に「原稿をスキャナ部にセットしてＳＴＡＲＴキーを押して下さい」との表示をさせる（ステップＳ１０：なお以下ではＳ１０と称する。）次に、制御部９０は、操作キー１８のうちＳＴＡＲＴキーが押下されるまで待機する（Ｓ１１、ＮＯ）。そして、ＳＴＡＲＴキーが押下されると、制御部９０は、ＣＰＵ９１によってＲＡＭ９３の残り容量をチェックし、ＲＡＭ９３の残り容量が閾値以上あるか否かの判断をする（Ｓ１２、本発明の判断手段の一例）。今回はＡ４サイズの原稿データを回転する必要があるので、ステップＳ１２において閾値は値Ｘ１である。
【００６５】
ここで、ＲＡＭ９３の容量がＸ１よりも小さい（Ｓ１２、ＮＯ）と、記録部４０による罫線又は升目データの記録を実行している間に、原稿の読取と、原稿データの回転とを実行することは不可能である。つまり、罫線又は升目データの記録が完了した後でないと、原稿回転データの記録ができない。一方で、ＲＡＭ９３の容量が閾値Ｘ１以上（Ｓ１２、ＹＥＳ）であれば、記録部４０による罫線又は升目データの記録の実行をしている間に、原稿の読取と、原稿データの回転とを実行することが可能である。
【００６６】
＜ＲＡＭ９３の残り容量が閾値よりも小さい場合＞
ステップＳ１２において、制御部９０がＲＡＭ９３の残り容量が閾値Ｘ１よりも小さいと判断すると、制御部９０は、ＣＰＵ９１によってＲＯＭ９２に記憶された罫線データまたは升目データを解凍する。ＣＰＵ９１によって解凍されたデータを、制御部９０はＲＡＭ９３の解凍メモリ９３Ａに記憶させる（Ｓ２０）。そして制御部９０は、給送部２０、搬送部３０、及び記録部４０を制御する。具体的には、制御部９０は、上トレイ１４又は下トレイ１５のいずれかに載置されるＡ３サイズの用紙５を給送部２０によって給送する。その後、制御部９０は、搬送部３０によって用紙５を搬送し、当該用紙５が記録部４０まで搬送されると、記録部４０による記録を実行させる。そして、制御部９０は、記録部４０に搬送された用紙５の前端部から、罫線または升目データの記録を記録部４０に実行させる（Ｓ２１）。なお、ステップＳ２１においては、制御部９０は、記録部４０による記録と、搬送部３０による搬送とを繰り返す間欠動作を実行させる。そして、制御部９０は、罫線または升目データの記録が完了されるまで待機する（Ｓ２２、ＮＯ）。
【００６７】
次に、制御部９０は、記録部４０によって実行される罫線または升目データの記録が完了すると（Ｓ２２、ＹＥＳ）、搬送部３０を停止させる（Ｓ２３）。このとき、Ａ３サイズの用紙５には、前後方向８（長辺方向）の前半部にＡ４サイズの用紙に相当する罫線又は升目データの画像が記録されている。つまり、制御部９０は、Ａ４サイズの用紙に相当する罫線又は升目データの画像の全てがＡ３サイズの前半部への記録が完了したら、搬送部３０を停止させる。ここで、制御部９０は、罫線又は升目データの画像の全ての記録が完了されたら、搬送部３０を停止させていたが、記録が完了された後に、搬送部３０に原稿回転データの記録開始位置まで、Ａ３サイズの用紙を搬送させてから、停止させてもよい。次に、制御部９０は、スキャナ部１２のＦＢモータ７９を駆動させるとともに、ＣＩＳセンサ７３を用いて原稿１頁分の読取を開始させる（Ｓ２４）。そして、制御部９０は、原稿１頁分の読取が完了するまで待機する（Ｓ２５、ＮＯ）。なお、読取られた原稿データは、制御部９０によって、逐次原稿画像メモリ９３Ｂに記憶される。原稿１頁分の読取が完了すると（Ｓ２５、ＹＥＳ）、制御部９０は、ＡＳＩＣ９５の回転部９６に、原稿画像メモリ９３Ｂに記憶された原稿データを９０度回転させるように指示する。そして制御部９０は、原稿データを９０度回転した原稿回転データを原稿回転メモリ９３Ｃに記憶させる（Ｓ２６）。
【００６８】
次に、制御部９０は、搬送部３０及び記録部４０を制御して、Ａ３サイズの用紙５の前後方向８（すなわち長辺方向）の中央部から後端部にかけての原稿回転データの記録を開始する（Ｓ２７）。なお、ステップＳ２７においては、制御部９０は、記録部４０による記録と、搬送部３０による搬送とを繰り返す間欠動作を実行させる。そして、制御部９０は、原稿回転データの記録が終了するまで待機し（Ｓ２８、ＮＯ）、原稿回転データの記録が終了すると（Ｓ２８、ＹＥＳ）、原稿記録処理を終了する。
【００６９】
＜ＲＡＭ９３の残り容量が閾値以上の場合＞
ステップＳ１２において、制御部９０がＲＡＭ９３の残り容量が閾値Ｘ１よりも小さいと判断すると、制御部９０は、ＣＰＵ９１によってＲＯＭ９２に記憶された罫線データまたは升目データを解凍する。そして、ＣＰＵ９１によって解凍されたデータを、制御部９０はＲＡＭ９３の解凍メモリ９３Ａに記憶させる（Ｓ３０）。そして制御部９０は、給送部２０、搬送部３０、及び記録部４０を制御する。具体的には、制御部９０は、上トレイ１４又は下トレイ１５のいずれかに載置されるＡ３サイズの用紙５を給送部２０によって給送する。その後、制御部９０は、搬送部３０によって用紙５を搬送し、当該用紙５が記録部４０まで搬送されると、記録部４０による記録を実行させる。そして、制御部９０は、記録部４０に搬送された用紙５の前端部から中央部にかけての、罫線または升目データの記録を記録部４０に実行させる（Ｓ３１）。なお、ステップＳ３１においては、制御部９０は、記録部４０による記録と、搬送部３０による搬送とを繰り返す間欠動作を実行させる。
【００７０】
次に制御部９０は、罫線または升目データの記録を記録するため搬送部３０及び記録部４０による間欠動作を実行させている間に、スキャナ部１２のＦＢモータ７９を駆動させるとともに、ＣＩＳセンサ７３を用いて原稿１頁分の読取を開始させる（Ｓ３２）。そして、制御部９０は、原稿１頁分の読取が完了するまで待機する（Ｓ３３、ＮＯ）。なお、読取られた原稿データは、制御部９０によって、逐次原稿画像メモリ９３Ｂに記憶される。原稿１頁分の読取が完了すると（Ｓ３３、ＹＥＳ）、制御部９０は、ＡＳＩＣ９５の回転部９６に、原稿画像メモリ９３Ｂに記憶された原稿データを９０度回転させるように指示する。そして制御部９０は、原稿データを９０度回転した原稿回転データを原稿回転メモリに記憶させる（Ｓ３４）。なお、制御部９０が、ステップＳ３３、Ｓ３４の処理を実行している一方で、制御部９０は、ステップＳ３１の罫線または升目データの記録を継続している。
【００７１】
そして、制御部９０は、罫線または升目データの記録が完了されるまで待機する（Ｓ３５、ＮＯ）。その後、制御部９０は、罫線または升目データの記録が完了すると（Ｓ３５、ＹＥＳ）、制御部９０は、搬送部３０及び記録部４０を制御して、Ａ３サイズの用紙５の前後方向８（長辺方向）の中央部から後端部にかけての原稿回転データの記録を開始する（Ｓ３６）。そして、制御部９０は、原稿回転データの記録が終了するまで待機し（Ｓ３７、ＮＯ）、原稿回転データの記録が終了すると（Ｓ３７、ＹＥＳ）、原稿記録処理を終了する。
【００７２】
＜原稿データの回転が不要な場合＞
以下に、Ａ４サイズの用紙５の長辺方向における前半部に罫線又は升目のデータを、後半部にＡ５サイズの原稿の原稿データを記録する（以下、原稿記録と称する）場合について説明する。
【００７３】
まず、上記の場合に原稿データの回転が不要な理由を図７を用いて説明する。図７は、原稿の読取から、用紙に対して原稿データを記録するまでの流れを模式的に表した図である。図７（Ｄ）は、ＦＢ部７０を上方から見た平面図である。図７（Ｅ）、原稿画像メモリ９３Ｂに記憶される原稿データを模式的に表した図である。図７（Ｚ）は、用紙５がＡ４サイズである場合における原稿記録が完了した用紙５の様子を模式的に表した図である。
【００７４】
まず、本実施形態においてはプラテンガラス７１は、最大でＡ４サイズの原稿が載置できるため、図７（Ｄ）のようにＡ５サイズの原稿が縦向きに載置可能である。なお、Ａ５サイズの原稿を用いてＡ４サイズの用紙５に記録する際は、図７（Ｄ）に示されるように、Ａ５サイズの原稿を載置するように、制御部９０がＬＣＤ１９に表示させる。この場合、ＣＩＳセンサ７３の移動方向がＡ５サイズの原稿の短辺方向に沿う。すると、Ａ５の原稿の読取を開始した場合、Ａ５サイズの原稿の短辺方向の左端から右端へと読取られるので、原稿画像メモリ９３Ｂには、横向きの原稿データ、即ち、原稿の長辺の左端の読取データから順番に配列される原稿データが記憶される。
【００７５】
この場合、図７（Ｅ）のように横向きの原稿データをそのままＡ４サイズの用紙５に記録しても用紙５の前後方向８（長辺方向）の一方の半分に原稿データを、他方の半分に罫線データを適切な配置で記録することができる。つまり、原稿データを９０度回転させる必要がない。なお、Ａ４サイズの用紙５にＡ５サイズの原稿を用いて記録する際に、Ａ５サイズの原稿をこのように載置させるのは、原稿データの回転する処理を省くためである。
【００７６】
以下に、制御部９０が、実行する原稿記録処理を図６に示されるフローチャートを用いて説明する。なお、図６に示されるフローチャートと、図５に示されるフローチャートとに共通する処理について説明を省略し、相違する処理のみについて説明する。
【００７７】
ユーザが、Ａ５サイズの原稿をＡ４サイズの用紙５に記録する原稿記録を操作キー１８を介して制御部９０に指示すると、図６のフローチャートに示される原稿記録処理が実行される。まず、制御部９０は、ＬＣＤ１９に「原稿をスキャナ部に正しい向きにセットしてＳＴＡＲＴキーを押して下さい」との表示をさせる（Ｓ１０）。その後、制御部９０が、ステップＳ１１においてＹＥＳと判断すると、制御部９０は、ＣＰＵ９１によってＲＡＭ９３の残り容量をチェックする。そして、ＲＡＭ９３の残り容量が閾値以上あるか否かの判断をする（Ｓ１２）。今回はＡ５サイズの原稿データを回転する必要がないので、ステップＳ１２において閾値は値Ｘ２である。
【００７８】
また、ステップＳ２０及びステップＳ３０においては、制御部９０は、ＣＰＵ９１によってＲＯＭ９２に記憶された罫線データまたは升目データを解凍する。解凍ができたら、制御部９０は、当該解凍されたデータをＡ５サイズ相当の大きさにデータを縮小させる。これは、本実施形態において、罫線データ又は升目データは、Ａ４サイズの用紙５に記録される罫線又は升目を示すデータであるため、解凍されたデータを縮小する。そして制御部９０は解凍され且つ縮小されたデータをＲＡＭ９３の解凍メモリ９３Ａに記憶させる。
【００７９】
そして、図６に示されるフローチャートでは、図５のステップＳ２５とステップＳ２７との間のステップＳ２６の処理を省略する。同様に、図５のステップＳ３３とステップＳ３５との間のステップＳ３４の処理を省略する。また、ステップＳ２７では、制御部９０は、搬送部３０及び記録部４０を制御して、Ａ４サイズの用紙５の前後方向８（長辺方向）の中央部から後端部にかけての原稿データの記録を開始する（Ｓ２７）。ステップＳ２８では、制御部９０は、原稿データの記録が終了するまで待機する（Ｓ２８、ＮＯ）。同様に、ステップＳ３６では、制御部９０は、搬送部３０及び記録部４０を制御して、Ａ４サイズの用紙５の前後方向８（長辺方向）の中央部から後端部にかけての原稿データの記録を開始する（Ｓ３６）。ステップＳ３７では、制御部９０は、原稿データの記録が終了するまで待機する（Ｓ３７、ＮＯ）。
【００８０】
＜第１実施形態の効果＞
上記のように、制御部９０が図５に示されるフローチャートを実行することによって、本実施形態の複合機１０は、以下の作用効果を奏する。つまり、ＲＡＭ９３の残り容量が、罫線又は升目データの量、原稿データの量及び原稿回転データの量の和よりも小さい場合は、罫線又は升目データの記録が完了してから、原稿の読取を開始する。これにより、Ａ３サイズの用紙５の前半部への罫線又は升目データの画像の記録と、後半部の原稿回転データの記録と、を実行することができる。
【００８１】
さらに、ＲＡＭ９３の残り容量が、罫線又は升目データの量、原稿データの量及び原稿回転データの量の和以上である場合は、罫線又は升目データの記録中に原稿の読取を開始する。また、罫線又は升目データの記録中に読取られた原稿データの回転も行う。したがって、罫線又は升目データの記録中に、原稿の読取及び回転を実行することができるので、Ａ３サイズの用紙５の前半部への罫線又は升目データの画像の記録と、後半部の原稿回転データの記録と、をより高速に実行することができる。
【００８２】
また、制御部９０が図６に示されるフローチャートを実行することによって、本実施形態の複合機１０は、以下の作用効果を奏する。つまり、ＲＡＭ９３の残り容量が、罫線又は升目データの量及び原稿データの量の和よりも小さい場合は、罫線又は升目データの記録が完了してから、原稿の読取を開始する。これにより、Ａ３サイズの用紙５の前半部への罫線又は升目データの画像の記録と、後半部の原稿データの記録と、を実行することができる。
【００８３】
さらに、ＲＡＭ９３の残り容量が、罫線又は升目データの量及び原稿データの量の和以上である場合は、罫線又は升目データの記録中に原稿の読取を開始する。したがって、罫線又は升目データの記録中に、原稿の読取を実行することができるので、Ａ３サイズの用紙５の前半部への罫線又は升目データの画像の記録と、後半部の原稿データの記録と、高速に実行することができる。
【００８４】
つまり、本発明は、原稿データを回転させない場合でも適用できる。しかし、原稿データを回転する必要がある場合は、ＲＡＭ９３の容量に原稿データ２ページ分の容量が必要である。この理由により、原稿データを回転する場合には特に好適である。
【００８５】
なお、ステップＳ２２の後に、搬送部３０を停止させないと、原稿回転データ又は原稿データを記録しようとしたときに、プリンタ部１７から用紙が抜けてしまったり、用紙の後端付近から記録が開始される可能性がある。プリンタ部１７から用紙が抜けてしまうと、後半部に原稿回転データ又は原稿データを記録できないし、用紙の後端付近から記録が開始されると、原稿画像データ又は原稿データが全て記録されない。そこで、ステップＳ２３をステップＳ２２の後に設けることで、搬送部３０の搬送を停止させ、罫線又は升目データと、原稿回転データ又は原稿データとを、用紙の前半部と後半部において、適切な位置にそれぞれ配置して記録することができる。
【００８６】
＜第２実施形態＞
上記第１実施形態では、原稿記録を実行する際に、まず、罫線又は升目データを記録してから、原稿データ又は原稿回転データを記録する例について説明した。以下の第２実施形態では、原稿記録を実行する際に、まず、原稿データ又は原稿回転データを記録してから、罫線又は升目データを記録する例について、図８に示されるフローチャートを用いて説明する。以下では第１実施形態と同様に原稿の読取をＦＢ部７０を用いて実行する場合について説明するが、ＡＤＦ部６０を用いた場合でも同様な原稿記録処理が実行されることは言うまでもない。ここでは、Ａ３サイズの用紙５の長辺方向における前半部にＡ４サイズの原稿の原稿回転データを、後半部に罫線又は升目のデータを記録する（以下、原稿記録と称する）場合について説明する。なお、図８のフロー中の「原稿（回転）データ」と記載は、原稿データ又は原稿回転データを意味する。
【００８７】
ユーザが、Ａ４サイズの原稿をＡ３サイズの用紙５に記録する原稿記録を操作キー１８を介して制御部９０に指示すると、図８のフローチャートに示される原稿記録処理が実行される。まず、制御部９０は、ＬＣＤ１９に「原稿をスキャナ部にセットしてＳＴＡＲＴキーを押して下さい」との表示をさせる（Ｓ５０）。次に、制御部９０は、操作キー１８のうちＳＴＡＲＴキーが押下されるまで待機する（Ｓ５１、ＮＯ）。そして、ＳＴＡＲＴキーが押下されると、制御部９０は、ＣＰＵ９１によってＲＡＭ９３の残り容量をチェックし、ＲＡＭ９３の残り容量が閾値以上あるか否かの判断をする（Ｓ５２、本発明の判断手段の一例）。今回は、第１実施形態と同様にＡ４サイズの原稿データを回転する必要があるので、ステップＳ５２において閾値は値Ｘ１である。
【００８８】
ここで、ＲＡＭ９３の容量が閾値Ｘ１よりも小さい（Ｓ５２、ＮＯ）と、原稿の読取と、原稿データの回転とを実行している間に、罫線又は升目データの解凍を実行することは不可能である。つまり、原稿回転データの記録が完了した後でないと、罫線又は升目データの解凍ができない。一方で、ＲＡＭ９３の容量が閾値Ｘ１以上（Ｓ５２、ＹＥＳ）であれば、原稿の読取と、原稿データの回転とを実行している間に、罫線又は升目データの記録を解凍することが可能である。
【００８９】
＜ＲＡＭ９３の残り容量が閾値よりも小さい場合＞
ステップＳ５２において、制御部９０がＲＡＭ９３の残り容量が閾値Ｘ１よりも小さいと判断すると、制御部９０は、スキャナ部１２のＦＢモータ７９を駆動させるとともに、ＣＩＳセンサ７３を用いて原稿１頁分の読取を開始させる（Ｓ６０）。そして、制御部９０は、原稿１頁分の読取が完了するまで待機する（Ｓ６１、ＮＯ）。なお、読取られた原稿データは、制御部９０によって、逐次原稿画像メモリ９３Ｂに記憶される。原稿１頁分の読取が完了すると（Ｓ６１、ＹＥＳ）、制御部９０は、ＡＳＩＣ９５の回転部９６に、原稿画像メモリ９３Ｂに記憶された原稿データを９０度回転させるように指示する。そして制御部９０は、原稿データを９０度回転した原稿回転データを原稿回転メモリ９３Ｃに記憶させる（Ｓ６２）。
【００９０】
次に、制御部９０は、給送部２０、搬送部３０、及び記録部４０を制御する。具体的には、制御部９０は、上トレイ１４又は下トレイ１５のいずれかに載置されるＡ３サイズの用紙５を給送部２０によって給送する。その後、制御部９０は、搬送部３０によって用紙５を搬送し、当該用紙５が記録部４０まで搬送されると、記録部４０に記録を実行させる。そして、制御部９０は、記録部４０に搬送されたＡ３サイズの用紙５の前端部から、原稿回転データの記録を記録部４０に実行させる（Ｓ６３）。なお、ステップＳ６３においては、制御部９０は、記録部４０による記録と、搬送部３０による搬送とを繰り返す間欠動作を実行させる。そして、制御部９０は、原稿回転データの記録が終了するまで待機する（Ｓ６４、ＮＯ）。そして制御部９０は、原稿回転データの記録が終了すると（Ｓ６４、ＹＥＳ）、搬送部３０を停止させる（Ｓ６５）。このとき、Ａ３サイズの用紙５には、前後方向８（長辺方向）の前半部に原稿回転データの画像の記録がされている。つまり、制御部９０は、Ａ４サイズの用紙に相当する原稿回転データの画像の全てがＡ３サイズの前半部への記録が完了したら、搬送部３０を停止させる。ここで、制御部９０は、原稿回転データの画像の全ての記録が完了されたら、搬送部３０を停止させていたが、記録が完了された後に、搬送部３０に罫線又は升目データの記録開始位置まで、Ａ３サイズの用紙を搬送させてから、停止させてもよい。
【００９１】
次に、制御部９０は、ＣＰＵ９１によってＲＯＭ９２に記憶された罫線データまたは升目データを解凍する。ＣＰＵ９１によって解凍されたデータを、制御部９０はＲＡＭ９３の解凍メモリ９３Ａに記憶させる（Ｓ６６）。そして、制御部９０は、搬送部３０及び記録部４０を制御して、Ａ３サイズの用紙５の前後方向８（長辺方向）の中央部から後端部にかけての罫線又は升目データの記録を開始する（Ｓ６７）。なお、ステップＳ６７においては、制御部９０は、記録部４０による記録と、搬送部３０による搬送とを繰り返す間欠動作を実行させる。そして、制御部９０は、罫線または升目データの記録が完了されるまで待機する（Ｓ６８、ＮＯ）。次に、制御部９０は、記録部４０によって実行される罫線または升目データの記録が完了すると（Ｓ６８、ＹＥＳ）、原稿記録処理を終了する。
【００９２】
＜ＲＡＭ９３の残り容量が閾値以上の場合＞
ステップＳ５２において、制御部９０がＲＡＭ９３の残り容量が閾値Ｘ１よりも小さいと判断すると、制御部９０は、スキャナ部１２のＦＢモータ７９を駆動させるとともに、ＣＩＳセンサ７３を用いて原稿１頁分の読取を開始させる（Ｓ７０）。そして、制御部９０は、原稿１頁分の読取が完了するまで待機する（Ｓ７１、ＮＯ）。なお、読取られた原稿データは、制御部９０によって、逐次原稿画像メモリ９３Ｂに記憶される。原稿１頁分の読取が完了すると（Ｓ７１、ＹＥＳ）、制御部９０は、ＡＳＩＣ９５の回転部９６に、原稿画像メモリ９３Ｂに記憶された原稿データを９０度回転させるように指示する。そして制御部９０は、原稿データを９０度回転した原稿回転データを原稿回転メモリに記憶させる（Ｓ７２）。
【００９３】
次に、制御部９０は、給送部２０、搬送部３０、及び記録部４０を制御する。具体的には、制御部９０は、上トレイ１４又は下トレイ１５のいずれかに載置されるＡ３サイズの用紙５を給送部２０によって給送する。その後、制御部９０は、搬送部３０によって用紙５を搬送し、当該用紙５が記録部４０まで搬送されると、記録部４０に記録を実行させる。そして、制御部９０は、記録部４０に搬送された用紙５の前端部から、原稿回転データの記録を記録部４０に実行させる（Ｓ７３）。なお、ステップＳ７３においては、制御部９０は、記録部４０による記録と、搬送部３０による搬送とを繰り返す間欠動作を実行させる。
【００９４】
次に、制御部９０は、原稿回転データの記録を記録するため搬送部３０及び記録部４０による間欠動作を実行させている間に、ＣＰＵ９１によってＲＯＭ９２に記憶された罫線データまたは升目データを解凍する。ＣＰＵ９１によって解凍されたデータを、制御部９０はＲＡＭ９３の解凍メモリ９３Ａに記憶させる（Ｓ７４）。つまり、制御部９０は、ステップＳ７３の処理を実行している一方で、制御部９０は、ステップＳ７４の罫線または升目データの解凍を継続している。そして、制御部９０は、原稿回転データの記録が終了するまで待機する（Ｓ７５、ＮＯ）。そして制御部９０は、原稿回転データの記録が終了すると（Ｓ７５、ＹＥＳ）、搬送部３０及び記録部４０を制御して、Ａ３サイズの用紙５の前後方向８（長辺方向）の中央部から後端部にかけての罫線又は升目データの記録を開始する（Ｓ７６）。なお、ステップＳ７７においては、制御部９０は、記録部４０による記録と、搬送部３０による搬送とを繰り返す間欠動作を実行させる。そして、制御部９０は、罫線または升目データの記録が完了されるまで待機する（Ｓ７７、ＮＯ）。次に、制御部９０は、記録部４０によって実行される罫線または升目データの記録が完了すると（Ｓ７７、ＹＥＳ）、原稿記録処理を終了する。
【００９５】
なお、第２実施形態においては、原稿回転データを記録する場合について説明したが、第１実施形態と同様にこれに限らず、原稿データを記録しても良い。つまり、原稿データを記録する際は、第１実施形態の原稿の回転が不要な場合と同様に、Ｓ６２及びＳ７２の処理を省略する。また、ステップＳ６３及びステップＳ７３の処理においては、原稿データを記録する。また、ステップＳ６４及びステップＳ７５の処理においては、原稿データの記録が終了したか否かの判断をする。
【００９６】
＜第２実施形態の効果＞
上記のように、制御部９０が図８に示されるフローチャートを実行することによって、本実施形態の複合機１０は、以下の作用効果を奏する。つまり、ＲＡＭ９３の残り容量が、罫線又は升目データの量、原稿データの量及び原稿回転データの量のよりも小さい場合は、原稿回転データの記録が完了してから、罫線又は升目データの解凍を開始する。これにより、Ａ３サイズの用紙５の前半部への罫線又は升目データの画像の記録と、後半部の原稿回転データの記録と、を実行することができる。
【００９７】
さらに、ＲＡＭ９３の残り容量が、罫線又は升目データの量、原稿データの量及び原稿回転データの量の和以上である場合は、原稿回転データの記録中に、罫線又は升目データの解凍を開始する。したがって、原稿回転データの記録中に、罫線又は升目データの解凍を実行することができるので、Ａ３サイズの用紙５の前半部への罫線又は升目データの画像の記録と、後半部の原稿回転データの記録とを、より高速に実行することができる。
【００９８】
また、第２実施形態では、原稿データを回転する場合についてのみ説明したが、第１実施形態のように、原稿データを回転しない場合にも本発明が適用できることは言うまでもない。
【００９９】
なお、ステップＳ６４の後に、搬送部３０を停止させないと、罫線又は升目データを記録しようとしたときに、プリンタ部１７から用紙が抜けてしまったり、用紙の後端付近から記録が開始される可能性がある。プリンタ部１７から用紙が抜けてしまうと、後半部に罫線又は升目データを記録できないし、用紙の後端付近から記録が開始されると、罫線又は升目データが全て記録されない。そこで、ステップＳ６５をステップＳ６４の後に設けることで、搬送部３０の搬送を停止させ、罫線又は升目データと、原稿（回転）データとを、用紙の前半部と後半部において、適切な位置にそれぞれ配置して記録することができる。
【０１００】
＜本実施形態の変形例＞
本実施形態では、罫線データメモリ９２Ａ又は升目データメモリ９２Ｂに記憶される罫線データ又は升目データは、ＪＰＥＧなどの保存形式で圧縮された形式でそれぞれ記憶されている。これにより、罫線データ又は升目データを圧縮された形式で保存されない場合と比べて、ＲＯＭ９２において罫線データ又は升目データの量が占める割合を低減できる。しかし、ＲＯＭ９２の容量が十分に大きい場合は、必ずしも罫線データ又は升目データは圧縮されて記憶されなくてもよい。この場合、圧縮された罫線データ又は升目データを展開する際の時間を削減できるので、高速化することができる。
【０１０１】
本実施形態では、原稿データ以外に、ＲＯＭ９２に記憶される罫線データまたは升目データを記録したが、これに限らない。例えば、方眼データでもよい。また、例えば、メモリーカード等の携帯可能な記憶媒体であったり、クラウドサーバーに記憶される写真などの画像を記録してもよい。なお、メモリーカードやクラウドサーバーに罫線データ又は升目データ又は方眼データが記憶されていても良い。この場合、写真などの画像は非原稿画像の一例で、携帯可能な記憶媒体であったり、クラウドサーバーは本発明の非原稿データ記憶部の一例である。
【０１０２】
また、本実施形態では、図５及び図６のフローチャートに示されるステップＳ１２と、図８のフローチャートに示されるステップＳ５２と、において、制御部９０はＲＡＭ９３の容量が閾値以上であるか否かで、制御を異ならせていた。しかし、制御部９０は、ＲＡＭ９３の容量が閾値を判断しなくてもよい。この場合、図５及び図６に示されるステップＳ１２及びステップＳ３０乃至ステップＳ３７と、図８にフローチャートに示されるステップＳ５２及びステップＳ７０乃至ステップＳ７７と、を省略する。
【０１０３】
また、本実施形態では、図５及び図６のフローチャートに示されるステップＳ１１と、図８のフローチャートに示されるステップＳ５１と、の後に制御部９０はＲＡＭ９３の容量が閾値以上であるかを判断していた。しかし、例えば、図５及び図６のフローチャートでは、Ｓ２０及びＳ２１、またはステップＳ３０及びＳ３１の後に、ＲＡＭ９３の容量に関する判断をしてもよい。この場合、図５及び図６に示されるフローチャートでは、ステップＳ２０及びＳ２１をステップＳ１１とステップＳ１２との間にして、ステップＳ３０及びＳ３１を省略する。したがって、図５に示されるフローチャートの場合は、閾値Ｘ１は、最大の解像度で生成された場合の原稿データ２ページ分のデータ量を示す値に相当し、図６に示されるフローチャートの場合は、最大の解像度で生成された場合の原稿データ１ページ分のデータ量を示すに相当する。また、例えば、図８のフローチャートでは、Ｓ６０乃至Ｓ６２、またはステップＳ７０乃至Ｓ７２の後に、ＲＡＭ９３の容量に関する判断をしてもよい。この場合、図８に示されるフローチャートでは、ステップＳ６０乃至Ｓ６２をステップＳ５１とステップＳ５２との間にして、ステップＳ７０乃至Ｓ７２を省略する。したがって、図８に示されるフローチャートの場合は、閾値Ｘ１、Ｘ２は、罫線データ又は升目データの量に相当する。
【０１０４】
また、本実施形態では、図５及び図６のフローチャートに示されるステップＳ２３と、図８のフローチャートに示されるステップＳ６５と、において制御部９０は、搬送部３０を停止させた。しかし、例えば、搬送部３０による搬送速度が通常の速度よりも小さい場合であれば、必ずしも搬送部３０を停止させる必要はなくてもよい。
【符号の説明】
【０１０５】
１      複合機１０
１２    スキャナ部
１８    操作キー
１９    ＬＣＤ
３０    搬送部
４０    記録部
６０    ＡＤＦ部
６９    ＡＤＦモータ
７０    ＦＢ部
７１    プラテンガラス
７３    ＣＩＳセンサ
７９    ＦＢモータ
９０    制御部
９１    ＣＰＵ
９２    ＲＯＭ
９３    ＲＡＭ
９４    ＥＥＰＲＯＭ
９５    ＡＳＩＣ
９６    回転部
【図１】
0005927976.tif 000003
【図２】
0005927976.tif 000004
【図３】
0005927976.tif 000005
【図４】
0005927976.tif 000006
【図５】
0005927976.tif 000007
【図６】
0005927976.tif 000008
【図７】
0005927976.tif 000009
【図８】
0005927976.tif 000010